(57)【要約】  楽器用のチューニング装置であって、楽器が、ボディと、楽器のボディから延びているネックとを有し、ネックが、ヘッドを備えた自由端部を有する。ヘッドは、楽器前面と、楽器前面とは本質的に反対側の楽器背面と、楽器背面に配置された少なくとも１つのチューニングキーとを備えている。本チューニング装置は、チューニングディスプレイを備えており、少なくとも１つのチューニングキーの１つまたは複数に係合可能であり、長方形に結合された右側の三角形を備えた形状を有し、チューニングディスプレイが三角形の斜辺に配置されている。チューニング装置が１つまたは複数のチューニングキーに係合しており、かつ全体が背面の上に配置されているときに、ディスプレイは、本質的に楽器のボディの方を向くように、チューニング装置に配置されている。
2019525254.tif 000002
【特許請求の範囲】
【請求項１】
楽器用のチューニング装置であって、
前記楽器が、
ボディと、
前記楽器のボディから延びているネックと、
を有し、
前記ネックが、ヘッドを備えた自由端部を有し、
前記ヘッドが、
楽器前面と、
前記楽器前面とは本質的に反対側の楽器背面と、
前記楽器背面に配置されている少なくとも１つのチューニングキーと、
を備えており、
前記チューニング装置が、
チューニングディスプレイを備えており、
前記少なくとも１つのチューニングキーの１つまたは複数に係合可能であり、
長方形に結合された右側の三角形を備えた形状を有し、
前記三角形の底辺が前記長方形の長辺と連続しており、
前記底辺に垂直である前記三角形の辺が、前記長方形の短辺に結合されており、かつ、前記長方形の前記短辺より長いかまたは等しく、
前記チューニングディスプレイが、前記三角形の斜辺に配置されており、
前記チューニング装置が前記１つまたは複数のチューニングキーに係合しており、かつ全体が前記楽器背面の上に配置されているときに、前記ディスプレイが、本質的に前記楽器のボディの方を向くように、前記チューニング装置に配置されている、
チューニング装置。
【請求項２】
前記チューニング装置が、前記１つまたは複数のチューニングキーから取り外し可能である、請求項１に記載のチューニング装置。
【請求項３】
前記チューニング装置が、前記１つまたは複数のチューニングキーに磁気的に係合可能である、請求項１または請求項２に記載のチューニング装置。
【請求項４】
楽器用のチューニング装置であって、
前記楽器が、
ボディと、
前記楽器のボディから延びているネックと、
を有し、
前記ネックが、ヘッドを備えた自由端部を有し、
前記ヘッドが、
楽器前面と、
前記楽器前面とは本質的に反対側の楽器背面と、
を備えており、
前記チューニング装置が、
チューニングディスプレイを備えており、
前記楽器背面に係合可能であり、かつ、
長方形に結合された右側の三角形を備えた形状を有し、
前記三角形の底辺が前記長方形の第１の長辺と連続しており、
前記底辺に垂直である前記三角形の辺が、前記長方形の短辺に結合されており、かつ、前記長方形の前記短辺より長いかまたは等しく、
前記チューニングディスプレイが、前記三角形の斜辺に配置されており、
前記チューニング装置が前記楽器背面に係合しており、かつ全体が前記楽器背面の上に配置されており、かつ前記楽器前面に係合していない間、前記チューニングディスプレイが、本質的に前記楽器のボディの方を向くように、前記楽器背面に配置される、
チューニング装置。
【請求項５】
前記チューニング装置が、前記背面から取り外し可能である、請求項４に記載のチューニング装置。
【請求項６】
前記チューニング装置が、吸引力によって前記背面に係合可能である、請求項４または請求項５に記載のチューニング装置。
【請求項７】
前記楽器が、アコースティックギター、エレクトリックギター、およびベースギター、を含む群、から選択される、請求項１、請求項２、請求項４、または請求項５のいずれか１項に記載のチューニング装置。
【請求項８】
係合しておりかつ全体が前記背面の上に配置されているとき、前記チューニング装置が、前記楽器背面から垂直に突き出している長さと少なくとも同じだけ前記楽器背面に平行に延びている、請求項１、請求項２、請求項４、または請求項５のいずれか１項に記載のチューニング装置。
【請求項９】
前記チューニング装置が、前記楽器背面から垂直に１５ｍｍ未満突き出しており、前記楽器背面に平行な、少なくとも１５ｍｍの長さの縁部を有する、請求項８に記載のチューニング装置。
【請求項１０】
前記楽器から前記チューニング装置が離脱することなく前記楽器を手で動かすことができるように構成されている、請求項１、請求項２、請求項４、または請求項５のいずれか１項に記載のチューニング装置。
【請求項１１】
前記楽器背面が第１の色を有し、前記チューニング装置が第２の色を有し、前記第１の色と前記第２の色が実質的に類似している、請求項１、請求項２、請求項４、または請求項５のいずれか１項に記載のチューニング装置。
【請求項１２】
前記第２の色が、視覚的に前記第１の色と本質的に区別され得ない、請求項１１に記載のチューニング装置。
【請求項１３】
前記底辺に垂直でありかつ前記長方形の短辺に結合されている、前記三角形の前記辺が、切り詰められており、前記長方形の第２の長辺と同じ高さであるペースを形成している、請求項１または請求項４のいずれか１項に記載のチューニング装置。
【請求項１４】
前記楽器が、前記楽器背面に配置されている少なくとも２つのチューニングキーを備えており、前記チューニング装置が、前記少なくとも２つのチューニングキーのうちの２つ以上に係合可能である、請求項１または請求項４のいずれか１項に記載のチューニング装置。
【請求項１５】
請求項１または請求項４のいずれか１項に記載のチューニング装置および楽器を備えたキットであって、ケースをさらに備えており、前記キットが、前記チューニング装置が前記キーに係合している間、前記楽器から前記チューニング装置を取り外さなくても邪魔にならずに前記楽器を前記ケースの中に配置して確実に収納することを可能にするように構成されている、キット。
【請求項１６】
請求項１、請求項２、または請求項３に記載のチューニング装置および楽器を備えたキットであって、前記チューニング装置が前記チューニングキーに係合し、前記楽器前面に係合しない、キット。
【発明の詳細な説明】
【技術分野】
【０００１】
本発明は、楽器用のチューニング装置に関する。
【背景技術】
【０００２】
デジタルチューナーでは、使用者は、弦楽器（ギターなど）を容易にチューニングすることができる。特に、デジタルチューナーは、理解しやすいディスプレイを提供することができ、このディスプレイによって使用者は、生成される音が、使用者が意図する音であるように、演奏される音を迅速に判定して弦楽器をチューニングすることができる。
【０００３】
しかしながら、これらのデジタルチューナーには、いくつかの欠点がある。例えば、正確な指示値を生成するためには、デジタルチューナーが弦楽器に近くなければならない。十分に近くない場合、デジタルチューナーは音を正しく測定することができず、弦楽器をチューニングすることが困難である、または不可能である。しかしながらこのことは、使用者がチューナーを手で持つ、または弦楽器の近くでバランスさせることを意味する。どちらも望ましくなく、なぜならどちらも使用者による通常の演奏ポジションを再現していないためである。
【０００４】
使用者によっては、近接性を確保するため、弦楽器のヘッドにデジタルチューナーをクリップで固定する。しかしながら、これはせいぜい一時的な解決策であることがしばしばあり、なぜなら輸送する前、または壁掛けハンガーやスタンド、またはケースに保管する前に、クリップを外さなければならないためである。これに加えて、クリップおよびチューナーが観客から見えるため、演奏中に取り付けたままにするには見た目に美しくない。さらには、使用中、取り付ける、または取り外すときに、クリップによって弦楽器の仕上げにキズが付くことがある。
【０００５】
したがって、特許文献１には、ヘッド以外の位置においてデジタルチューナーを楽器に取り付けることのできるシステムが記載されている。特許文献１は、弦楽器で演奏された音を検出するように構成されている振動感知デバイスを含む、弦楽器に装着可能な装置を説明している。弦楽器に装着可能な装置は、振動感知デバイスを弦楽器に取り付けるように構成されているアタッチメントも含む。
【０００６】
しかしながら、特許文献１の図から明らかであるように、使用者から離れた楽器の側にチューナーを配置しなければならない。そうしないとチューナーが使用者に接触し、また、観客からチューナーが実際に見える。さらに、ヘッド以外の位置にチューナーを取り付けるときには、チューナーをヘッドに係合させる利点（演奏中にディスプレイが見えるなど）が失われる。
【先行技術文献】
【特許文献】
【０００７】
【特許文献１】米国特許第９２４０１７０号明細書
【発明の概要】
【発明が解決しようとする課題】
【０００８】
本発明の目的は、楽器に（ヘッドを含む）直接係合させることができ、それにもかかわらず特に演奏中に楽器が使用されているときに目立たないおよび／または見えない、新規のチューナーを提供することである。
【０００９】
別の目的は、チューナーが楽器から落下することなく楽器を急激に動かすことのできるチューナーを提供することである。
【００１０】
さらに別の目的は、チューナーを取り外し可能であるようにする、すなわち楽器に貼り付けられるのではなく、必要に応じて、楽器をケースに収納するときに、チューナーが邪魔になったり動いてしまうことが最小限であるかまたはまったくなしに楽器に付けたままにできるようにすることである。
【００１１】
本発明のさらなる目的および利点は、説明を読み進めるにつれて明らかになるであろう。
【課題を解決するための手段】
【００１２】
特に定義されていない限り、本明細書において使用されているすべての技術用語および科学用語は、本発明が属する技術分野における通常の技術を有する者によって一般的に理解されている意味と同じ意味を有する。本発明を実施または試験するとき、本明細書に記載されている方法および材料に類似するかまたは同等の方法および材料を使用できるが、好適な方法および例示的な材料は以下に記載してある。矛盾が生じる場合、定義を含めて本明細書に従うものとする。さらには、これらの材料、方法、および例は、説明のみを目的としており、本発明を制限することを意図していない。
【００１３】
一態様によれば、楽器用のチューニング装置であって、楽器が、
ボディと、
ボディから延びているネックと、
を有し、
ネックが、ヘッドを備えた自由端部を有し、
ヘッドが、
楽器前面と、
楽器前面とは本質的に反対側の楽器背面と、
楽器背面に配置されている少なくとも１つのチューニングキーと、
を備えており、
チューニング装置が、
チューニングディスプレイを備えており、
少なくとも１つのチューニングキーの１つまたは複数に係合可能であり、
チューナーが１つまたは複数のチューニングキーに係合しており、かつ全体が背面の上に配置されているときに、ディスプレイが、本質的にボディの方を向くように、チューニング装置に配置されている、
チューニング装置、を提供する。
【００１４】
チューニング装置は、１つまたは複数のチューニングキーから取り外し可能であることが好ましい。
【００１５】
特に、チューニング装置は、好ましくは磁気的に、１つまたは複数のチューニングキーに係合可能である。
【００１６】
別の態様によれば、楽器用のチューニング装置であって、楽器が、
ボディと、
ボディから延びているネックと、
を有し、
ネックが、ヘッドを備えた自由端部を有し、
ヘッドが、
楽器前面と、
楽器前面とは本質的に反対側の楽器背面と、
を備えており、
チューニング装置が、
チューニングディスプレイを備えており、
楽器背面に係合可能であり、かつ、
チューナーが楽器背面に係合しており、かつ全体が背面の上に配置されている間、ディスプレイが、本質的にボディの方を向くように、楽器背面に配置される、
チューニング装置、を提供する。
【００１７】
背面に係合可能であるチューニング装置は、背面から取り外し可能であることが好ましい。
【００１８】
背面に係合可能であるチューニング装置は、吸引力によって背面に係合可能であることが好ましい。
【００１９】
楽器は、例えば、以下、すなわち、アコースティックギター、エレクトリックギター、ベースギター、のいずれかである。
【００２０】
好ましい実施形態においては、係合しておりかつ全体が背面の上に配置されているとき、チューニング装置が、楽器背面から垂直に突き出している長さと少なくとも同じだけ楽器背面に平行に延びている。
【００２１】
例えば、チューニング装置は、楽器背面から垂直に１５ｍｍ未満突き出しており、楽器背面に平行な、少なくとも１５ｍｍの長さの縁部を有する。
【００２２】
好ましい実施形態は、楽器からチューニング装置が離脱することなく楽器を手で動かすことができるように構成されている。
【００２３】
好ましい実施形態においては、楽器背面が第１の色を有し、チューニング装置が第２の色を有し、第１の色と第２の色が実質的に類似する。
【００２４】
より好ましい実施形態においては、第２の色は、視覚的に第１の色と本質的に区別され得ない。
【００２５】
いくつかの実施形態は、斜面を備えた台形プリズムの形状を有し、ディスプレイが斜面上である。
【００２６】
いくつかの実施形態は、本質的に図５ｃに示した形状を有する。
【００２７】
いくつかの好ましい実施形態においては、楽器は、楽器背面に配置されている少なくとも２つのチューニングキーを備えており、チューニング装置は、これら少なくとも２つのチューニングキーのうちの２つ以上に係合可能である。
【００２８】
別の態様によれば、チューニング装置と、上記の楽器のいずれかとを備えており、さらにケースを備えているキットが提供され、キットは、チューニング装置がキーに係合している間、楽器からチューニング装置を取り外さなくても邪魔にならずに楽器をケースの中に配置して確実に収納することを可能にするように構成されている。
【００２９】
いくつかの好ましいキットの実施形態においては、チューニング装置は、チューニングキーに係合し、前面には係合しない。
【００３０】
いくつかの別の好ましいキットの実施形態においては、チューニング装置は、前面に係合し、前面には係合しない。
【００３１】
本明細書では、実施形態を、添付の図面を参照しながら一例としてのみ説明してある。以下では図面を詳細に参照するが、図示されている細部は一例であり、好ましい実施形態を実例を通じて説明することを目的としており、最も有用であると考えられる形態を提供し、実施形態の原理および発想上の態様を理解しやすく説明するために提示してあることを強調しておく。この点において、本発明を基本的に理解するために必要である以上には構造上の細部を詳しく示しておらず、当業者には、図面を参照しながらの説明によって、本発明のいくつかの形態が実際にどのように実施されうるかが明らかになるであろう。
【図面の簡単な説明】
【００３２】
【図１】図１ａは、従来技術の楽器の面の一部の概要であり、図１ｂは、同じ楽器の反対側の面の一部の概要であり、図１ｃは、楽器を側面図で示している。
【図２】楽器前面（この図では見えない）と、楽器前面とは本質的に反対側の楽器背面と、チューニング装置と、を有する楽器を示しており、チューニング装置は、楽器のチューニングを可能にするように構成されており、楽器背面を見たとき最小限に見えるかまたは見えない。
【図３】チューニング装置および楽器を備えており、楽器を中に確実に収納することができるように構成されているケースをさらに備えているキット、を示しており、このキットは、楽器からチューニング装置を取り外さなくても邪魔にならずに楽器をケースの中に配置することができるように構成されている。
【図４】クランプを備えた１つの装置実施形態を斜視図で示している。
【図５】図５ａは、アダプタを使用して楽器に結合することができる別の装置実施形態として、アダプタの上面図を描いており、図５ｂは、アダプタを斜視図で示しており、図５ｃは、チューナーのみを示しており、図５ｄは、互いに組み立てられたチューナーおよびアダプタを示している。
【図６ａ】アダプタおよび装置がどのように楽器に取り付けられるかを示す、楽器背面の図を示している。
【図６ｂ】楽器前面の図を示している。
【図６ｃ】楽器の上面図を描いている。
【図７】傾斜したチューニングディスプレイを備えた装置を示している。
【図８】これに代えて、弾性端部を有する「スパイダー（ｓｐｉｄｅｒ）」クランプを使用することによって、図８に示したようにチューニング装置を楽器背面に係合させることができる。
【発明を実施するための形態】
【００３３】
少なくとも一実施形態を詳しく説明する前に、本発明は、その適用において、以下の説明に記載した、または図面に示した構成要素の構造および配置の詳細に限定されないことを理解されたい。本発明は、別の実施形態をとることができる、またはさまざまな方法で実施または実行することができる。さらに、本明細書において採用されている表現および用語は、説明を目的としており、本発明を制限するようにはみなされないものとする。いくつかの図面では、明確さのため、示す必要のないチューニングキーを省いた。
【００３４】
図１ａは、従来技術の楽器１０の面の一部（具体的にはギターのヘッド１９および指板の一部）の概要である。弦１１が見えており、すなわち楽器１０を演奏するときには、一般に楽器のこの面が観客の方を向く。楽器１０は、楽器前面１２を有する。
【００３５】
図１ｂは、同じ楽器１０の反対側の面の概要である。この面からは弦が見えない。楽器１０は楽器背面１４を有し、この面は一般に観客の視野から隠れる。
【００３６】
楽器は、楽器チューニングキー１６をさらに含み、これらのキー１６は、自身に結合されている弦１１をチューニングするために一般には手動で調整可能である。キー１６は、楽器１０に取り付けられており、楽器前面１２および楽器背面１４に配置されている。
【００３７】
弦１１は、定期的なチューニングを必要とする。チューニングは、演奏前に完了することができる。しかしながら楽器１０は、演奏中に追加的な再チューニングをしばしば必要とする。このチューニングを行うために、一般にはチューナー（またはチューニング装置とも称される）が使用される。
【００３８】
図１ｃは、楽器１０全体を側面図で示している。楽器１０は、ボディ１５と、ボディ１５から延びているネック１７とをさらに備えている。ネック１７は、ヘッド１９を備えた自由端部を有する。
【００３９】
図２に示したように、キー１６も、楽器背面１４から本質的に垂直に突き出している（ただし通常では、楽器前面および楽器背面１４に平行に楽器１０からさらに大きく突き出している）。
【００４０】
図２にさらに示したように、楽器１０をチューニングするための装置１１０が設けられている。チューニング装置１１０は、チューニングディスプレイ１１８を備えている。チューニング装置１１０は、少なくとも１つのチューニングキー１６に係合可能である。チューニング装置１１０が１つまたは複数のチューニングキー１６に係合しており、かつ全体が背面１４の上に配置されているとき、ディスプレイ１１８は、本質的にボディ１５の方を向くように、チューニング装置１１０に配置されている。
【００４１】
代替実施形態においては、チューニング装置は、チューニングキー１６に係合可能であることに代えて、またはこれに加えて、背面１４に係合可能である。
【００４２】
チューナーのこの位置および構造によって、楽器１０を持って演奏している演奏者が、ディスプレイ１１８の指示値に従って楽器１０をチューニングすることが可能である。
【００４３】
これと同時に、チューニング装置１１０の構造によって、チューニング装置１１０が観客から見える程度が最小限であり、かつチューニング装置１１０の係合に安定性をもたらすことができ、すなわちチューニング装置１１０は、特に（例えばエレクトリックギターがライブ演奏においてときおり扱われるように）楽器がかなりエネルギッシュに操作されるときに、背面１４に沿って移動しない。
【００４４】
いくつかの好ましい実施形態においては、係合を強化するため、チューニング装置１１０はチューニングキー１６の少なくとも２つに係合可能である。強化された係合によって、背面１４上でのチューニング装置１１０の位置をさらに安定させることができる。
【００４５】
好ましい実施形態においては、チューニング装置１１０は取り外し可能である、すなわち楽器に貼り付けられていない。取り外し可能な装置１１０は、背面１４に対してフラットに置いて、チューニングキー１６と係合するまで楽器背面１４に沿って移動させることができる。取り外すためには、チューニング装置１１０をキー１６から引き離す必要がある。
【００４６】
楽器１０およびチューニング装置１１０は、キット１００として提供することができる。
【００４７】
図３に示したように、いくつかの実施形態においては、キット１００は、楽器１０を確実に収納することを可能にするケース２０、をさらに備えている。キット１００では、チューニング装置がチューニングキー１６と係合している間、楽器１０からチューニング装置を取り外さなくても邪魔にならずに楽器１０をケース２０の中に配置することができる。なお、この図ではチューニング装置が見えておらず、なぜなら楽器１０は、一般には前面１２が内側を向いた状態でケース２０に配置されるためである。
【００４８】
楽器は、エレクトリックギター、アコースティックギター、およびベースギター、を含む群、から選択される。
【００４９】
チューニング装置１１０は、楽器背面１４から垂直に突き出しているよりも実質的に長く楽器背面１４に平行に延びていることが好ましく、すなわちチューニング装置１１０は本質的に平たい。平たいことによって、例えば演奏中に楽器が振り回されるとき、装置１１０の位置が安定するのみならず、チューニング装置１１０が観客から見える程度が最小になり、さらにはチューニング装置が取り付けられた状態で、壁掛けハンガーやスタンド、またはケースに楽器を保管することができる。
【００５０】
最も好ましくは、チューニング装置は、楽器背面に垂直にわずか１５ｍｍ突き出しており、楽器背面に平行な少なくとも１５ｍｍの長さの縁部を有する。
【００５１】
楽器背面１４が第１の色を有し、チューニング装置１１０が第２の色を有する。いくつかの好ましい実施形態においては、第１の色および第２の色は実質的に類似する。
【００５２】
いくつかの好ましい実施形態においては、第２の色は、視覚的に第１の色と区別され得ない。
【００５３】
図４は、クランプ１１１ａを備えた１つの装置実施形態１１０ａを切取り斜視図（perspective cutout view）で示している。クランプ１１１ａは、チューニング装置１１０ａがチューニングキー１６と弾性的に係合することができるように構成されており、なぜならクランプ１１１ａはチューニング装置の底面１１２ａにばね１１３ａを備えているためである。実施形態１１０ａの試作品による実験では、装置１１０ａが、相当に安定した係合を有することが判明した。
【００５４】
図５ａ〜図５ｄは、アダプタ１２０によってヘッドに結合することのできる、別の装置実施形態１１０ｂを示している。図５ａは、アダプタ１２０の上面図を描いており、図５ｂはアダプタ１２０を斜視図で示している。図５ｃはチューニング装置１１０ｂのみを示しており、図５ｄは、組み立てられたチューニング装置１１０ｂおよびアダプタ１２０を示している。チューニング装置１１０ｂは、一般には、長方形１１３ｂに結合された右側の三角形１１１ｂとして形成されている。三角形１１１ｂの底辺は長方形１１３ｂの長辺と連続している。底辺に垂直である三角形１１１ｂの辺１１９ｂは、長方形１１３ｂの短辺に結合されており、長方形１１３ｂの短辺より長いかまたは等しい。チューニングディスプレイは、一般には三角形１１１ｂの斜辺１１６ｂに配置されている。チューニング装置１１０ｂは、１つまたは複数のチューニングキーに磁石［図示していない］によって磁気的に係合することが好ましい。
【００５５】
チューニング装置１１０ｂは、できる限り見えないように最小限のサイズを有するが、しっかりした係合を可能にするための十分なサイズを有し、チューニングディスプレイのための大きな傾斜（１１６ｂ）面を有する（後から図７に描いた実施形態を参照）。
【００５６】
図６ａ〜図６ｃは、アダプタ１２０および装置１１０ｂが楽器１０にどのように取り付けられるかと、どのように見えるかを、さまざまな視野から示している。図６ａは、楽器背面１４の図を示している。図６ｂは、楽器前面１２の図を示しており、図６ｃは、楽器１０の上面図を描いている。
【００５７】
チューニング装置１１０ｂは、楽器１０において完全に安定的であり不注意に外れることはなく、アダプタ１２０は本質的に透明である。しかしながら本発明者らは、楽器前面の視点から見えない実施形態を設計することを目指した。
【００５８】
図７は、装置実施形態１１０ｃを斜視図で示している。
【００５９】
チューニング装置１１０ｃは、斜面１１６ｃを備えた台形プリズム形状を有し、チューニングディスプレイ１１８ｃは斜面１１６ｃ上である。チューニング装置１１０ｃは、ディスプレイ１１８ｃがボディ１５の方、および楽器１０を持つ演奏者の方に本質的にまっすぐに向くように、第１の装置側面１１２ｃを介してチューニングキー１６と係合する。オプションとして、チューニング装置１１０ｃは、長方形１１３ｃに結合されている右側の三角形１１１ｃとして形成されている。三角形１１１ｃの底辺は、長方形１１３ｃの長辺と連続している。底辺に垂直な三角形１１１ｃの辺が、長方形１１３ｃの短辺に結合されており、長方形１１３ｃの短辺より長いかまたは等しい。チューニングディスプレイは、一般には三角形１１１ｃの斜辺１１６ｃに配置されている。チューニング装置１１０ｃは、１つまたは複数のチューニングキーに磁石１１７ｃによって磁気的に係合することが好ましい。
【００６０】
いくつかの装置実施形態（図示していない）は、上に簡潔に述べたように、チューニングキーの代わりに、またはチューニングキーに加えて、楽器背面に係合し、さらに、楽器背面に係合しているときにボディの方を向くディスプレイを有する。このような係合は、固着を伴わないことが好ましい。例えば、係合は、真空／吸引力による（吸盤を介するなど）ことができる。楽器の塗装および／またはニスに対する、係合による損傷を避けるように注意するべきである。
【００６１】
これに代えて、図８に概略的に示したように、弾性端部を有する「スパイダー」クランプによって、チューニング装置を楽器背面に、少なくとも楽器背面の縁部において係合させることができる。
【００６２】
装置および楽器のキットの好ましい実施形態においては、チューニング装置は、背面および／またはチューニングキーと係合するときには前面には直接的または間接的に係合せず、したがって前面には、目に見える余分な部品が存在しない。
【００６３】
より好ましい実施形態においては、チューニング装置１１０は、チューニングキー１６と磁気的に係合可能である。チューニング装置１１０は、一般には、第１の装置側面１１２にほぼ垂直である第２の装置側面１１４（図２を参照）またはその近傍に、磁石１１７または磁化物質を備えており、キー１６は強磁性物質を含む。
【００６４】
本発明者は、現在のところ、この実施形態が最も効率的に動作すると考えているが、それ以外の実施形態も満足のいくものである。
【００６５】
明確性のため個別の実施形態の文脈の中で説明した本発明の特定の特徴は、１つの実施形態において組み合わせて設けることもできる。逆に、簡潔性のため１つの実施形態の文脈の中で説明した本発明のさまざまな特徴は、個別に設ける、または任意の適切な部分的な組合せにおいて設けることもできる。
【００６６】
本発明についてその特定の実施形態に関連して説明してきたが、当業者には多数の代替形態、修正形態、および変形形態が明らかであろう。したがって、添付の請求項の趣旨および広義の範囲内に含まれるすべての代替形態、修正形態、および変形形態を包含するように意図されている。
【図１】
2019525254.tif 000003
【図２】
2019525254.tif 000004
【図３】
2019525254.tif 000005
【図４】
2019525254.tif 000006
【図５】
2019525254.tif 000007
【図６ａ】
2019525254.tif 000008
【図６ｂ】
2019525254.tif 000009
【図６ｃ】
2019525254.tif 000010
【図７】
2019525254.tif 000011
【図８】
2019525254.tif 000012
【国際調査報告】
2019525254.tif 000013
2019525254.tif 000014
2019525254.tif 000015
2019525254.tif 000016